(57)【要約】【解決手段】シリコーンオイルの重合に使用されて活性が低下したスルホン化樹脂触媒を低分子シロキサン媒体で洗浄し、その後常圧〜減圧下で該シロキサン媒体を揮発除去すると共に、該触媒の水分を脱水除去することを特徴とするスルホン化樹脂触媒の再活性化方法。【効果】本発明によれば、スルホン化樹脂触媒の安定した繰り返し再生使用が可能となった。これにより、触媒交換に伴う時間、材料面からの生産性向上、廃棄物の大幅削減が可能となった。【特許請求の範囲】
【請求項１】
シリコーンオイルの重合に使用されて活性が低下したスルホン化樹脂触媒を低分子シロキサン媒体で洗浄し、その後常圧〜減圧下で該シロキサン媒体を揮発除去すると共に、該触媒の水分を脱水除去することを特徴とするスルホン化樹脂触媒の再活性化方法。
【請求項２】
再活性化された樹脂触媒の含有水分量が７重量％以下であることを特徴とする請求項１記載のスルホン化樹脂触媒の再活性化方法。
【請求項３】
低分子シロキサン媒体が、ヘキサメチルジシロキサン及び／又はオクタメチルトリシロキサンであることを特徴とする請求項１又は２記載のスルホン化樹脂触媒の再活性化方法。
【発明の詳細な説明】
【０００１】
【発明の属する技術分野】
本発明は、シリコーンオイルの重合に用いられるスルホン化樹脂触媒の再活性化方法に関し、特にはシリコーンオイルの重合に使用されて、縮合水の吸着や、ゲル・高粘物による細孔の閉塞により触媒活性が低下した固体酸触媒を、再使用可能なレベルまで再活性化させる方法に関する。
【０００２】
【従来の技術及び発明が解決しようとする課題】
シリコーンオイルは、一般には直鎖状の有機シロキサン構造からなり、汎用のジメチルポリシロキサンの場合、その重合度が２〜２，１００程度で、相当する２５℃における粘度が０．６５〜１，０００，０００ｃｓ程度のものである。その製法には種々のものがあるが、工業的には対応する直鎖状低分子重合体と低分子環状体と末端基を含む原料混合物、或いは低分子及び高分子直鎖状重合体混合物から酸又はアルカリ触媒による平衡化反応により製造される場合が多い。代表的なものとして、ジメチルポリシロキサン構造のジメチルシリコーンオイルやフェニル基を数モル〜数十モル含むメチルフェニルシリコーンオイル等があり、耐熱油、化粧品原料、離型剤等として産業界で広く使用されている。
【０００３】
近年、生産性向上、生成物の純度向上、廃棄物減少等の観点から、固体触媒、特に固体酸触媒が注目され、既に使用されている。
固体酸触媒は、使用方法として、例えば、固体酸触媒を固定相として連続流路中に設置することで連続製造工程が可能となり、従来工程での中和、水洗、分離のような触媒除去工程が必要なくなる。また、別の使用法として、反応液中に攪拌分散し、反応完了後に、スクリーン等で固体酸触媒を分別除去する等の方法も簡便である。
しかし、固体酸触媒は、経時的な触媒能力の低下、製品中の不純物の増加、連続装置での流動圧の上昇等で、触媒は寿命に至り、廃棄されており、その寿命の延長や再活性化が問題となっている。
【０００４】
固体酸触媒を使用してシリコーンオイルを製造する技術は、例えば特開昭４７−８６４６号公報、特開昭５０−１３３２９９号公報、特開昭５８−２１４２７号公報等に具体的に開示されているが、その寿命の長さや、寿命に至った場合の再活性化方法については、何ら記載されていない。
このように、固体酸触媒の寿命及び再活性化方法については、未だ何ら触れられておらず、工業的な実用化に際して解決されるべき技術的問題点であった。
【０００５】
本発明は、上記事情に鑑みてなされたもので、触媒寿命を延長させる有効なスルホン化樹脂触媒の再活性化方法を提供することを目的とする。
【０００６】
【課題を解決するための手段及び発明の実施の形態】
本発明者らは、上記目的を達成するため鋭意検討を重ねた結果、シリコーンオイルの重合に用いられて活性が低下したスルホン化樹脂触媒を低分子シロキサン媒体で洗浄し、その後常圧〜減圧下で該シロキサン媒体を揮発除去すると共に、該触媒の含有水分を脱水除去することが、スルホン化樹脂触媒の触媒寿命を延長させる有効な再活性化方法となり得ることを見出した。
【０００７】
即ち、触媒不活性化の第１の原因は水分であり、原料シロキサンに微量含まれているもの、原料低分子シロキサンポリマー末端の水酸基の縮合によって生成するものが、触媒や担体樹脂の表面に吸着・付着するものと考えられている。そこで、触媒の脱水乾燥処理を試みたが、脱水乾燥処理だけでは触媒の再活性化は完全ではなかった。
また、第２の原因は、強力な酸触媒によるシロキサン有機基の分解によるゲル物の生成付着、その他異物の付着であると考えられる。そこで、触媒表面の洗浄をシリコーンオイルの低重合物である低分子シロキサン媒体で試みた。この場合も、洗浄だけでは触媒の十分な再活性化には至らなかったが、脱水乾燥との併用によって、再使用できるレベルに至ることを知見した。
このように種々検討の結果、固体酸触媒の低分子シロキサン媒体による洗浄と水分除去との相乗作用によって、触媒の再活性化が実現することを知見し、本発明をなすに至ったものである。
【０００８】
従って、本発明は、シリコーンオイルの重合に使用されて活性が低下したスルホン化樹脂触媒を低分子シロキサン媒体で洗浄し、その後常圧〜減圧下で該シロキサン媒体を揮発除去すると共に、該触媒の水分を脱水除去することを特徴とするスルホン化樹脂触媒の再活性化方法を提供する。
【０００９】
以下、本発明につき更に詳しく説明する。
本発明は、シリコーンオイルの重合に用いて活性が低下したスルホン化樹脂触媒を再活性化するものであり、本発明に用いられるスルホン化樹脂触媒としては、シリコーンオイルの重合に用いられる固体酸触媒であれば、特に制限されるものではない。固体酸触媒として使用されるスルホン化樹脂の例としては、ロームアンドハース社製アンバーリストドライタイプや、ピュロライト社製ＣＴ１６９ドライタイプ等の官能基としてスルホン酸基を細孔表面に有する粒状スルホン化樹脂が挙げられる。
【００１０】
ここで、重合されるシリコーンオイルとしては、特に限定されるものではないが、例えば、オクタメチルテトラシクロシロキサン等の低分子環状シロキサンを主原料とし、重合（平衡化反応）させることにより得られるものであり、必要によりヘキサメチルジシロキサン等の末端封鎖剤を添加して末端をトリオルガノシリル基で封鎖してもよい。
具体的には、末端がトリメチルシリル基やビニルジメチルシリル基で封鎖されたジメチルシリコーンオイル、メチルビニルシリコーンオイル、メチルフェニルシリコーンオイルや末端が封鎖されていない（末端シラノール基）前記オイル等が例示される。
【００１１】
上記スルホン化樹脂触媒の寿命（活性低下）は、得られたシリコーンオイルの粘度、不揮発分等を測定することにより確認することができる。
上記スルホン化樹脂触媒の活性が低下した場合は、重合したオイルが反応の平衡組成まで達せず、未反応原料が増加する。反応原料は製品と比べ、揮発性が高いため、重合したオイル中の易揮発分量を測定することにより、未反応原料組成を推定でき、触媒活性の低下を確認することができる。易揮発分量は、オイルを一定時間、１５０〜２００℃の恒温槽にて放置し、前後の重量減少を測定することにより確認出来る。
また、未反応原料の増加により、重合後オイルの粘度が低下することから、重合後オイルの粘度による確認も有効である。
【００１２】
本発明は、まず、シリコーンオイルの重合に用いて活性が低下したスルホン化樹脂触媒の表面を低分子シリコーン媒体で洗浄する。
【００１３】
触媒表面の洗浄において、水を含め一般的な溶剤は、大きな連続装置内部では異物であり、極力使用を避けるべきものである。低分子シロキサン媒体は、製造原料の１種であり、シリコーンオイルと同属であるので、異物の溶解性や洗浄には最適であり、また低沸点で揮発除去が可能である。
【００１４】
本発明に使用される低分子シロキサン媒体としては、沸点を有するものであれば、特に限定されるものではないが、ケイ素原子数２〜５の直鎖状メチルシロキサンオリゴマーが好ましく、中でもその沸点や溶解性からヘキサメチルジシロキサン（以下、ＨＭＤＳ、ｂｐ．１００℃）、オクタメチルトリシロキサン（以下、ＯＭＴＳ、ｂｐ．１５３℃）が好ましく、特にＨＭＤＳが好ましい。
なお、低分子環状シロキサンの３量体、４量体は、溶解性、沸点範囲がよく似ているが、水の存在で当該酸触媒により重合を起こし、ガム状まで増粘するおそれがある。
【００１５】
触媒の洗浄に用いる低分子シロキサン媒体の使用量は、スルホン化樹脂触媒１重量部に対して１〜１００重量部、特に１〜２０重量部であることが好ましい。低分子シロキサン媒体が少なすぎると十分に洗浄されないことがあり、多すぎると経済的に不利となることがある。
【００１６】
上記触媒を低分子シロキサン媒体で洗浄する方法としては、槽内で回分撹拌により洗浄する方法、固体層状に充填された触媒に低分子シロキサンを通液、循環させる等の方法がある。洗浄方法は、触媒の使用形態により選択すればよい。
【００１７】
次に、触媒を低分子シロキサン媒体で洗浄した後、常圧〜減圧下で該シロキサン媒体を揮発除去すると共に、該触媒中の水分を脱水乾燥により除去する。
【００１８】
スルホン化樹脂触媒は、１００℃で劣化が開始するので、揮発除去及び脱水乾燥は１００℃以下の温度で行うことが望ましく、特に６０〜８０℃で行うことが望ましい。このような揮発除去及び脱水乾燥は、減圧や乾燥空気、乾燥窒素ガスブロー等、常法により行うことができる。
また、揮発除去及び脱水乾燥は、常圧でも減圧下でも行うことができるが、減圧下で行うと処理時間が短縮できるため好ましい。
【００１９】
このようにして脱水処理された再生スルホン化樹脂触媒は、その含有水分量が７重量％以下、特に５重量％以下であることが好ましい。
【００２０】
【実施例】
以下、実施例を示し、本発明を具体的に説明するが、本発明は下記の実施例に制限されるものではない。
【００２１】
［実施例］
スルホン化樹脂触媒の含水率と触媒能の関係
水を所定量添加したシリコーンオイルに触媒を所定量添加して混合し、一定時間接触させた後、触媒を濾別した。接触前後のシリコーンオイル中の水分をカールフィッシャー法にて測定し、これにより触媒に吸着された水分量を測定した。なお、購入時の触媒にも若干量の水分が吸着されているため、減圧乾燥機にて８０℃、０．１Ｔｏｒｒで触媒重量が恒量になるまで乾燥した。恒量となった触媒を含水率０重量％として、含水率の異なる触媒をそれぞれ調整した。
内径２５ｍｍのステンレス製筒の底部に１５０メッシュの金網を設置した重合試験器に、上記の如く調整した含水率０〜９．８重量％の触媒を層高３００ｍｍまで充填し、ＨＭＤＳ１．４重量部、ジメチルサイクリックス（環状ジメチルポリシロキサン３〜５量体を主成分とする混合物）１００重量部の比率で混合した反応原料を８０℃、流速２．５ｍ／ｈで固定層に通液し、トリメチルシリル末端のジメチルシリコーンオイルを製造した。
固定層出口より製品のサンプリングを行い、揮発分及びこの反応後液の２５℃における粘度を測定した。この際、揮発分は、反応後液を１５０℃の恒温乾燥機にて３時間放置し、前後の重量変化により測定した。
この結果、下記表１の如く含水率７．２重量％以上で揮発分の生成量が増し、反応が平衡に達していないことが確認された。よって含水率は７重量％以下であることが好適であると判断した。
【００２２】
【表１】
2004002522.tif 000002
【００２３】
触媒再生試験
内径８０ｍｍのステンレス製筒の底部に１５０メッシュの金網を設置した重合試験器に、含水量５重量％の固体酸触媒（スルホン化樹脂）を層高６００ｍｍまで充填し、ＨＭＤＳ０．８５重量部、ジメチルサイクリックス１００重量部の比率で混合した反応原料を８０℃、流速２．５ｍ／ｈで固定層に通液し、トリメチルシリル末端のジメチルシリコーンオイルを連続的に製造した。約９００時間の連続使用により触媒の活性が低下したため、固定層中の触媒を抜き出して下記の処理をそれぞれ実施した。
処理▲１▼　触媒１０重量部に対してＨＭＤＳを１００重量部添加し、常温にて２時間撹拌した後、触媒を濾別した。
処理▲２▼　触媒を洗浄することなく、８０℃、１Ｔｏｒｒ以下に保持した減圧乾燥機にて５時間乾燥した。
処理▲３▼　触媒１０重量部に対してＨＭＤＳを１００重量部添加し、常温にて２時間撹拌した後に、８０℃、１Ｔｏｒｒ以下に保持した減圧乾燥機にて５時間乾燥した。
ＨＭＤＳ０．８５重量部、ジメチルサイクリックス１００重量部を混合した反応原料に、上記の方法にて処理した触媒、新品の触媒及び９００時間使用後の触媒をそれぞれ１重量％ずつ添加し、８０℃にて反応を行い、トリメチルシリル基末端のジメチルシリコーンオイルを得た。一定時間毎に反応液をサンプリングして揮発分を測定し、反応の進行状況をチェックした。この結果を表２に示す。
下記表２から、ＨＭＤＳ洗浄（処理▲１▼）、脱水乾燥（処理▲２▼）、洗浄と脱水乾燥の併用（処理▲３▼）の効果を比較したところ、併用処理に未使用品と同等の触媒活性の復元が確認された。
【００２４】
【表２】
2004002522.tif 000003
＊　揮発分を測定した残液粘度は、いずれも１，０００±５ｃｓの範囲にあった。
【００２５】
触媒再生試験（ラインテスト１）
図１に示す連続重合試験装置を用いて試験を行った。新しい固体酸触媒（スルホン化樹脂、乾燥して含水率０重量％としたもの）を、内径８０ｍｍのステンレス製筒の底部に１５０メッシュの金網を設置した重合試験器（固定層３及び固定層３’）に、層高６００ｍｍまで充填し、ＨＭＤＳ０．８５重量部、ジメチルサイクリックス１００重量部の比率で混合した反応原料１を予熱器２，２’により反応温度８０℃とし、第１，２塔（固定層３，３’）滞留時間各１０分で１４００時間連続的に通液し、冷却器４により冷却してトリメチルシリル基末端ジメチルシリコーンオイル５を製造した。なお、図１中の２ａ，２ａ’はスチーム、４ａは冷却水である。
その後、第１塔（固定層３）のスルホン化樹脂触媒にＨＭＤＳを常温にて、流速１００ｍ／ｈで通液させた。ＨＭＤＳの通液操作を４時間継続した後、重合器表面を温水にて８０℃に保持し、真空ポンプにて圧力を１Ｔｏｒｒ以下とした。この操作を３時間継続することにより固体酸触媒を乾燥させた。
その後、再度同配合反応原料を同条件で１２００時間通液し、トリメチルシリル基末端ジメチルシリコーンオイルを製造した。なお、再生処理直後の触媒の含水率は２重量％であった。
通液の間、一定時間毎に反応液をサンプリングして揮発分を測定し、反応の進行状況をチェックした。結果を表３に示す。
その結果、再生処理品の効果を確認した。
【００２６】
【表３】
2004002522.tif 000004
＊　揮発分を測定した残液粘度は、いずれも１，０００±５ｃｓの範囲にあった。
【００２７】
触媒再生試験（ラインテスト２）
図１に示す連続重合試験装置を用いて試験を行った。新しいスルホン化樹脂触媒（含水率７重量％）を、内径８０ｍｍのステンレス製筒の底部に１５０メッシュの金網を設置した重合試験器（固定層３及び固定層３’）に、層高６００ｍｍまで充填し、ＨＭＤＳ０．８５重量部、ジメチルサイクリックス１００重量部の比率で混合した反応原料１を予熱器２、２’により反応温度８０℃とし、流速２．５ｍ／ｈで固定層内へ通液した後、冷却器４により冷却してトリメチルシリル基末端のジメチルシリコーンオイル５を連続的に製造した。固定層第１塔と第２塔の出口より一定時間毎にサンプリングを行い、揮発分を想定し、反応の進行状況を確認した。この際、揮発分は、得られたシリコーンオイルを１５０℃の恒温乾燥機に３時間放置し、前後の重量変化を測定することにより行った。
反応時間の経過と共に、第１塔出口の揮発分が連続的に低下した為、５００時間で反応を一旦停止した。その後、固定層を６０℃まで加温し、真空ポンプにて２Ｔｏｒｒまで減圧し、５時間保持した（この操作を減圧処理と称する）。減圧処理後、運転を再開し、更に１００時間継続したところで反応を再度停止した。固定層にＨＭＤＳを空塔線速５０ｍ／ｈにて５時間通液した後、固定層を６０℃まで加温し、真空ポンプにて２Ｔｏｒｒまで減圧し、５時間保持した（この操作を併用処理と称する）。併用処理後、更に９００時間まで反応を継続した。以上の結果を表４に示す。
表４より、脱水処理を単独で実施した場合は、触媒の再活性化は十分ではなかったが、ＨＭＤＳ洗浄及び脱水処理を併用することにより、十分な再活性化の効果が得られた。
【００２８】
【表４】
2004002522.tif 000005
＊１　処理１．脱水
＊２　処理２．ＨＭＤＳ処理＋脱水併用
＊＊　揮発分を測定した残液粘度は、いずれも１，０００±５ｃｓの範囲にあった。
【００２９】
活性低下触媒中のゲル成分量の特定
図１に示す連続試験装置にて、粘度１０００ｃｓのトリメチルシリル末端ジメチルシリコーンオイルを連続的に製造した。９００時間の連続使用を実施し、触媒活性が低下した触媒１０重量部に、ＨＭＤＳを１０重量部添加し、常温にて攪拌処理した。処理後、触媒を濾別し、濾液中のＴ単位をＮＭＲ分析により測定した。同様にして未使用品触媒についても評価した。また、触媒活性の低下に影響のある触媒表面の閉塞の有無を評価するために、未使用品、活性低下（９００時間使用後）品及び活性低下後洗浄処理品の酸価を測定した。これらの結果を表５に示す。
その結果、９００時間使用後の活性低下品は、未使用品に見られなかったＴ単位が検出され、酸価の低下も認められた。従って、触媒の表面がゲル状物質等により一部閉塞したものと推察される。また、活性低下後洗浄処理品の酸価は、未使用品と同等の値を示したことから、触媒表面を閉塞していたゲル状物質等が洗浄処理により除去されたことが認められる。
【００３０】
【表５】
2004002522.tif 000006
＊１　洗浄後ＨＭＤＳをＮＭＲ分析により測定し、Ｔ単位ピークの有無を確認した。
＊２　樹脂触媒に過剰のＮａＯＨを加えた後、ＨＣｌで逆滴定し、酸価を測定した。
【００３１】
【発明の効果】
本発明によれば、スルホン化樹脂触媒の安定した繰り返し再生使用が可能となった。これにより、触媒交換に伴う時間、材料面からの生産性向上、廃棄物の大幅削減が可能となった。
【図面の簡単な説明】
【図１】本発明の一実施例において使用した連続重合装置のフローチャートである。
【符号の説明】
１　反応原料
２，２’　予熱器
３，３’　固定層反応器
４　冷却器
５　シリコーンオイル
【図１】
2004002522.tif 000007
【手続補正書】
【提出日】平成15年6月2日(2003.6.2)
【手続補正１】
【補正対象書類名】明細書
【補正対象項目名】００１１
【補正方法】変更
【補正の内容】
【００１１】
上記スルホン化樹脂触媒の寿命（活性低下）は、得られたシリコーンオイルの粘度、揮発分等を測定することにより確認することができる。
上記スルホン化樹脂触媒の活性が低下した場合は、重合したオイルが反応の平衡組成まで達せず、未反応原料が増加する。反応原料は製品と比べ、揮発性が高いため、重合したオイル中の易揮発分量を測定することにより、未反応原料組成を推定でき、触媒活性の低下を確認することができる。易揮発分量は、オイルを一定時間、１５０〜２００℃の恒温槽にて放置し、前後の重量減少を測定することにより確認出来る。
また、未反応原料の増加により、重合後オイルの粘度が低下することから、重合後オイルの粘度による確認も有効である。


【手続補正２】
【補正対象書類名】明細書
【補正対象項目名】００１６
【補正方法】変更
【補正の内容】
【００１６】
上記触媒を低分子シロキサン媒体で洗浄する方法としては、槽内で回分撹拌により洗浄する方法、固定層に充填された触媒に低分子シロキサンを通液、循環させる等の方法がある。洗浄方法は、触媒の使用形態により選択すればよい。


【手続補正３】
【補正対象書類名】明細書
【補正対象項目名】００２５
【補正方法】変更
【補正の内容】
【００２５】
触媒再生試験（ラインテスト１）
　図１に示す連続重合試験装置を用いて試験を行った。新しい固体酸触媒（スルホン化樹脂、乾燥して含水率０重量％としたもの）を、内径８０ｍｍのステンレス製筒の底部に１５０メッシュの金網を設置した重合試験器（固定層３及び固定層３’）に、層高６００ｍｍまで充填し、ＨＭＤＳ０．８５重量部、ジメチルサイクリックス１００重量部の比率で混合した反応原料１を予熱器２，２’により反応温度８０℃とし、第１，２塔（固定層３，３’）滞留時間各１０分で１４００時間連続的に通液し、冷却器４により冷却してトリメチルシリル基末端ジメチルシリコーンオイル５を製造した。なお、図１中の２ａ，２ａ’はスチーム、４ａは冷却水である。
その後、第１及び第２塔（固定層３，３’）のスルホン化樹脂触媒にＨＭＤＳを常温にて、流速１００ｍ／ｈで通液させた。ＨＭＤＳの通液操作を４時間継続した後、重合器表面を温水にて８０℃に保持し、真空ポンプにて圧力を１Ｔｏｒｒ以下とした。この操作を３時間継続することにより固体酸触媒を乾燥させた。
その後、再度同配合反応原料を同条件で１２００時間通液し、トリメチルシリル基末端ジメチルシリコーンオイルを製造した。なお、再生処理直後の触媒の含水率は２重量％であった。
通液の間、一定時間毎に反応液をサンプリングして揮発分を測定し、反応の進行状況をチェックした。結果を表３に示す。その結果、再生処理品の効果を確認した。


【手続補正４】
【補正対象書類名】明細書
【補正対象項目名】００２７
【補正方法】変更
【補正の内容】
【００２７】
触媒再生試験（ラインテスト２）
　図１に示す連続重合試験装置を用いて試験を行った。新しいスルホン化樹脂触媒（含水率７重量％）を、内径８０ｍｍのステンレス製筒の底部に１５０メッシュの金網を設置した重合試験器（固定層３及び固定層３’）に、層高６００ｍｍまで充填し、ＨＭＤＳ０．８５重量部、ジメチルサイクリックス１００重量部の比率で混合した反応原料１を予熱器２、２’により反応温度８０℃とし、流速２．５ｍ／ｈで固定層内へ通液した後、冷却器４により冷却してトリメチルシリル基末端のジメチルシリコーンオイル５を連続的に製造した。固定層第１塔と第２塔の出口より一定時間毎にサンプリングを行い、揮発分を測定し、反応の進行状況を確認した。この際、揮発分は、得られたシリコーンオイルを１５０℃の恒温乾燥機に３時間放置し、前後の重量変化を測定することにより行った。
反応時間の経過と共に、第１塔出口の揮発分が連続的に低下した為、５００時間で反応を一旦停止した。その後、固定層を６０℃まで加温し、真空ポンプにて２Ｔｏｒｒまで減圧し、５時間保持した（この操作を減圧処理と称する）。減圧処理後、運転を再開し、更に１００時間継続したところで反応を再度停止した。固定層にＨＭＤＳを空塔線速５０ｍ／ｈにて５時間通液した後、固定層を６０℃まで加温し、真空ポンプにて２Ｔｏｒｒまで減圧し、５時間保持した（この操作を併用処理と称する）。併用処理後、更に９００時間まで反応を継続した。以上の結果を表４に示す。
表４より、脱水処理を単独で実施した場合は、触媒の再活性化は十分ではなかったが、ＨＭＤＳ洗浄及び脱水処理を併用することにより、十分な再活性化の効果が得られた。